(57)【要約】      （修正有）【課題】複数のシステムと、これらシステムで共用される共有表示装置とを備えた情報処理機器におけるいずれかのシステムを遠隔表示装置により遠隔操作する場合に、遠隔表示装置からも共有表示装置からも情報処理機器を同時に利用することができる情報処理システムを提供する。【解決手段】情報処理機器の共有表示装置に第１または第２のシステムの操作画面が表示されている状態で、第２の遠隔表示装置からリモート接続要求がなされた場合、または遠隔表示装置の表示手段に第１または第２のシステムの操作画面が表示されている状態で、表示装置から第１または第２のシステムの操作要求がなされた場合に、第１または第２のシステムのうち現在利用されているシステムに応じて、遠隔表示装置の表示手段または表示装置への操作画面の表示を制御する。【選択図】図３
2018166238.tif 000002
【特許請求の範囲】
【請求項１】
第１のシステム、第２のシステム、及び前記第１及び第２のシステムで共用操作される共有表示装置、を備えた情報処理機器と、該情報処理機器とリモート接続が可能であり前記第１または第２のシステムを遠隔操作可能な遠隔表示装置とを備えた情報処理システムであって、
前記第１及び第２のシステムはそれぞれ、前記共有表示装置に表示される表示データを記憶する表示メモリと、該表示メモリに記憶された表示データを共有表示装置に表示させるための制御を行う描画制御手段と、
を有し、
前記遠隔表示装置は、リモート接続された前記情報処理機器から送信される前記第１または第２のシステムの操作画面を表示可能な表示手段を備え、
前記情報処理機器はさらに、
前記共有表示装置と第１のシステムまたは第２のシステムの描画制御手段との接続切替えを行う切替え制御手段を備え、
前記情報処理機器の共有表示装置に前記第１または第２のシステムの操作画面が表示されている状態で、前記遠隔表示装置から操作要求がなされた場合、または前記遠隔表示装置の表示手段に前記第１または第２のシステムの操作画面が表示されている状態で、前記共有表示装置から前記第１または第２のシステムの操作要求がなされた場合に、第１または第２のシステムのうち現在利用されているシステムに応じて、前記遠隔表示装置の表示手段に操作画面を表示させまたは前記共有表示装置に操作画面を表示することを特徴とする情報処理システム。
【請求項２】
前記情報処理機器は、前記遠隔表示装置から操作要求がなされた場合、操作要求が第１のシステムの操作要求か第２のシステムの操作要求かを判断し、
操作要求が第１のシステムの操作要求の場合であって、前記共有表示装置に表示されている操作画面が第１のシステムの操作画面である場合、前記遠隔表示装置に第２のシステムの操作画面を表示させ、
操作要求が第２のシステムの操作要求の場合であって、前記共有表示装置に表示されている操作画面が第２のシステムの操作画面である場合、前記遠隔表示装置に第１のシステムの操作画面を表示させることを特徴とする請求項１に記載の情報処理システム。
【請求項３】
前記第１のシステムは画像形成装置であり、前記第２のシステムはサーバであり、
前記遠隔表示装置の共有表示装置または前記情報処理機器の表示手段に表示される操作画面には、前記画像形成装置及びサーバでそれぞれ作成された自装置の操作画面と、前記画像形成装置で作成されたサーバの簡易操作画面と、前記サーバで作成された画像形成装置の簡易操作画面が含まれる請求項１または２に記載の情報処理システム。
【請求項４】
前記遠隔表示装置が利用されていない状態で、前記情報処理機器の共有表示装置に、前記第１または第２のシステムの操作画面が表示されるとともに、前記簡易操作画面では設定できない設定項目の入力が行われているとき、前記遠隔表示装置から操作要求があった場合、前記情報処理機器は、前記第１または第２のシステムのうち利用されていないシステムの操作画面か、利用されているシステムの簡易操作画面を前記遠隔表示装置の表示手段に表示させることを特徴とする請求項３に記載の情報処理システム。
【請求項５】
前記共有表示装置が利用されていない状態で、前記遠隔表示装置の表示手段に、前記第１または第２のシステムの操作画面が表示されるとともに、前記簡易操作画面では設定できない設定項目の入力が行われているとき、前記共有表示装置から操作要求があった場合、前記情報処理機器は、前記第１または第２のシステムのうち利用されていないシステムの操作画面か、利用されているシステムの簡易操作画面を前記共有表示装置に表示することを特徴とする請求項３に記載の情報処理システム。
【請求項６】
前記情報処理機器の共有表示装置に、前記画像形成装置の操作画面が表示されるとともに、該操作画面を介してプリントまたはコピーまたはスキャンを行うための設定の入力が行われているとき、前記遠隔表示装置から前記画像形成装置の操作要求があった場合、前記情報処理機器は、前記画像形成装置の簡易操作画面を前記遠隔表示装置の表示手段に表示させることを特徴とする請求項３に記載の情報処理システム。
【請求項７】
前記遠隔表示装置の表示手段に表示された画像形成装置の簡易操作画面で、簡易操作画面では設定不可能な機能を設定する場合、
前記情報処理機器は、前記共有表示装置に表示されている画像形成装置の操作画面を利用しているユーザーに対し、画像形成装置を利用しても良いか問い合わせ、利用許可を得た場合、それまでの設定値を記憶手段に記憶し、共有表示装置には前記設定値を引き継いだ画像形成装置の簡易操作画面を表示して、引き続き設定可能な状態とし、
さらに、前記遠隔表示装置に画像形成装置の操作画面を表示させ、該操作画面を介して遠隔表示装置から簡易操作画面では設定不可能な機能の設定の完了後に、共有表示装置に表示されている簡易操作画面を、該簡易操作画面で設定した設定値を引き継いだ操作画面に戻すとともに、遠隔表示装置の表示手段に表示されていた操作画面を簡易操作画面に戻すことを特徴とする請求項６に記載の情報処理システム。
【請求項８】
前記遠隔表示装置の表示手段に表示された画像形成装置の簡易操作画面で、簡易操作画面では設定不可能な機能を設定する場合、
前記情報処理機器は、前記共有表示装置に表示されている画像形成装置の操作画面を利用しているユーザーに対し、画像形成装置を利用しても良いか問い合わせ、利用許可を得た場合、それまでの設定値を記憶手段に記憶し、共有表示装置には前記設定値を引き継いだ画像形成装置の簡易操作画面を表示して、引き続き設定可能な状態とし、
さらに、前記遠隔表示装置に画像形成装置の操作画面を表示させ、該操作画面を介して遠隔表示装置から簡易操作画面では設定不可能な機能の設定の完了後に、共有表示装置に表示されている簡易操作画面で設定を入力中か否かを判断し、入力中の場合は共有表示装置への簡易操作画面の表示を継続し、入力完了後に、共有表示装置に表示されている簡易操作画面を、該簡易操作画面で設定した設定値を引き継いだ操作画面に戻すとともに、遠隔表示装置の表示手段に表示されていた操作画面を簡易操作画面に戻すことを特徴とする請求項６に記載の情報処理システム。
【請求項９】
前記共有表示装置に表示された操作画面が簡易操作画面に切り替えられた後、簡易操作画面での設定が完了し、サーバの操作画面が起動された状態で、サーバの前記操作画面により設定が入力されているときは、前記情報処理機器は、遠隔表示装置に表示された画像形成装置の操作画面の操作が完了しても、サーバの設定入力が完了するまでは、共有表示装置におけるサーバの操作画面から画像形成装置の操作画面への切り替えは行わないことを特徴とする請求項８に記載の情報処理システム。
【請求項１０】
前記遠隔表示装置の表示手段に表示された画像形成装置の簡易操作画面で、簡易操作画面では設定不可能な機能を設定する場合、
前記情報処理機器は、共有表示装置に表示された操作画面で設定されたそれまでの設定値を記憶手段に記憶し、前記遠隔表示装置に画像形成装置の操作画面を、共有表示装置には画像形成装置の簡易操作画面を、それぞれ強制的に切り替え表示し、共有表示装置に表示された簡易操作画面により、前記記憶手段に記憶した設定値を引き続いて利用可能な状態とすることを特徴とする請求項６に記載の情報処理システム。
【請求項１１】
前記遠隔表示装置に前記画像形成装置の操作画面が表示されるとともに、該操作画面を介してプリントまたはコピーまたはスキャンを行うための設定の入力が行われているとき、前記情報処理機器の共有表示装置を介して前記画像形成装置の操作要求があった場合、前記情報処理機器は、前記画像形成装置の簡易操作画面を前記共有表示装置に表示することを特徴とする請求項３に記載の情報処理システム。
【請求項１２】
前記共有表示装置に表示された画像形成装置の簡易操作画面で、簡易操作画面では設定不可能な機能を設定する場合、
前記情報処理機器は、前記遠隔表示装置に表示されている画像形成装置の操作画面を利用しているユーザーに対し、画像形成装置を利用しても良いか問い合わせ、利用許可を得た場合、遠隔表示装置に表示されている操作画面で行われたそれまでの設定値を記憶手段に記憶するとともに、遠隔表示装置の表示手段には前記設定値を引き継いだ画像形成装置の簡易操作画面に戻して引き続き設定可能な状態とし、
さらに、前記共有表示装置に画像形成装置の操作画面を表示し、該操作画面を介して簡易操作画面では設定不可能な機能の設定の完了後に、遠隔表示装置に表示されている簡易操作画面を、該簡易操作画面で設定した設定値を引き継いだ操作画面に戻すとともに、共有表示装置に表示されていた操作画面を簡易操作画面に戻すことを特徴とする請求項１１に記載の情報処理システム。
【請求項１３】
前記共有表示装置に表示された画像形成装置の簡易操作画面で、簡易操作画面では設定不可能な機能を設定する場合、
前記情報処理機器は、前記遠隔表示装置に表示されている画像形成装置の操作画面を利用しているユーザーに対し、画像形成装置を利用しても良いか問い合わせ、利用許可を得た場合、遠隔表示装置に表示されている操作画面で行われたそれまでの設定値を記憶手段に記憶し、遠隔表示装置には前記設定値を引き継いだ画像形成装置の簡易操作画面を表示させて、引き続き設定可能な状態とし、
さらに、前記共有表示装置に画像形成装置の操作画面を表示し、該操作画面を介して簡易操作画面では設定不可能な機能の設定の完了後に、遠隔表示装置に表示されている簡易操作画面で設定を入力中か否かを判断し、入力中の場合は遠隔表示装置への簡易操作画面の表示を継続させ、入力完了後に、遠隔表示装置に表示されている簡易操作画面を、該簡易操作画面で設定した設定値を引き継いだ操作画面に戻すとともに、共有表示装置に表示されていた操作画面を簡易操作画面に戻すことを特徴とする請求項１１に記載の情報処理システム。
【請求項１４】
前記遠隔表示装置に表示された操作画面が簡易操作画面に切り替えられた後、簡易操作画面での設定が完了し、サーバの操作画面が起動された状態で、サーバの前記操作画面により設定が入力されているときは、前記情報処理機器は、共有表示装置に表示された画像形成装置の操作画面の操作が完了しても、サーバの設定入力が完了するまでは、遠隔表示装置におけるサーバの操作画面から画像形成装置の操作画面への切り替えは行わないことを特徴とする請求項１３に記載の情報処理システム。
【請求項１５】
前記共有表示装置に表示された画像形成装置の簡易操作画面で、簡易操作画面では設定不可能な機能を設定する場合、
前記情報処理機器は、遠隔表示装置に表示された操作画面で設定されたそれまでの設定値を記憶手段に記憶し、さらに、前記共有表示装置に画像形成装置の操作画面を、遠隔表示装置には画像形成装置の簡易操作画面を、それぞれ強制的に切り替え表示させ、遠隔表示装置に表示された簡易操作画面により、前記記憶手段に記憶した設定値を引き続いて利用可能な状態とすることを特徴とする請求項１１に記載の情報処理システム。
【請求項１６】
前記情報処理機器の共有表示装置に、前記画像形成装置の操作画面が表示されるとともに、該操作画面を介してプリントまたはコピーまたはスキャンを行うための設定の入力が行われ、前記遠隔表示装置の表示手段にサーバの操作画面が表示され、サーバの設定の入力が行われている状態で、遠隔表示装置のサーバの操作画面による操作が一時中断され、画像形成装置が操作されるときは、前記情報処理機器は、遠隔表示装置のサーバの操作画面により設定されたそれまでの設定値を記憶手段に記憶し、さらに、遠隔表示装置の表示手段に画像形成装置の簡易操作画面を表示させ、画像形成装置の操作完了後、前記記憶手段に記憶した設定値を反映したサーバの操作画面に戻すことを特徴とする請求項３に記載の情報処理システム。
【請求項１７】
前記遠隔表示装置の表示手段に、前記画像形成装置の操作画面が表示されるとともに、該操作画面を介してプリントまたはコピーまたはスキャンを行うための設定の入力が行われ、前記共有表示装置にサーバの操作画面が表示され、サーバの設定の入力が行われている状態で、共有表示装置のサーバの操作画面による操作が一時中断され、画像形成装置が操作されるときは、前記情報処理機器は、共有表示装置のサーバの操作画面により設定されたそれまでの設定値を記憶手段に記憶し、さらに、共有表示装置に画像形成装置の簡易操作画面を表示させ、画像形成装置の操作完了後、前記記憶手段に記憶した設定値を反映したサーバの操作画面に戻すことを特徴とする請求項３に記載の情報処理システム。
【請求項１８】
共有表示装置に表示された操作画面を介して画像形成装置が操作され、かつ、遠隔表示装置の表示手段に表示された操作画面を介してサーバが操作されているとき、
前記情報処理機器は、
共有表示装置にはサーバの全ては操作できない旨を表示かるとともに、遠隔表示装置には画像形成装置の全ては操作できない旨を表示させ、
画像形成装置の操作が終了したことが検知された場合、画像形成装置の全ての操作が可能である旨を遠隔表示装置に表示させ、サーバの操作が終了したことが検知された場合、サーバの全ての操作が可能である旨を共有表示装置に表示することを特徴とする請求項３に記載の情報処理システム。
【請求項１９】
請求項１〜１８のいずれかに記載の情報処理システムに用いられる情報処理機器。
【発明の詳細な説明】
【技術分野】
【０００１】
この発明は、多機能デジタル画像形成装置であるＭＦＰ（Multi Function Peripherals）等の画像形成装置とサーバのように、それぞれ独立して動作可能な複数のシステム、及びこれらシステムで共用される共用される共有表示装置を備えた情報処理機器と、この情報処理機器とリモート接続が可能であり前記第１または第２のシステムを遠隔操作可能な遠隔表示装置とを備えた情報処理システム、及び情報処理機器に関する。
【背景技術】
【０００２】
タブレット端末やスマートフォン等の遠隔表示装置からＭＦＰにリモートパネル接続し、ＭＦＰを遠隔操作することが可能な技術がある。この技術では、ＭＦＰ側の操作パネルに表示されるＭＦＰの操作画面と同じ操作画面が遠隔表示装置の表示部に表示されるとともに、ＭＦＰ側の操作パネルに操作画面が表示されることを、例えば操作禁止画面を操作パネルに表示することで、必要に応じて回避している。
【０００３】
このようなリモートパネル接続技術を、画像形成装置とサーバのようにそれぞれ独立して動作可能な複数のシステムと、これらシステムで共用される共有表示装置とを備えた情報処理機器に適用した場合、次のような課題が発生する。
【先行技術文献】
【特許文献】
【０００４】
【特許文献１】特開２００７−４３６４７号公報
【特許文献２】特開２０１６−２０８１４０号公報
【発明の概要】
【発明が解決しようとする課題】
【０００５】
即ち、例えばユーザーが情報処理機器のＭＦＰを利用するために、遠隔表示装置からリモートパネル接続すると、従来と同様に、遠隔表示装置にはＭＦＰの操作画面が表示される。これによって、遠隔表示装置からのリモート操作は可能になるものの、従来と同様に、共有表示装置に操作禁止画面を表示すると、サーバの操作は可能であるにもかかわらず、共有表示装置からサーバの操作ができなくなってしまうという課題がある。
【０００６】
なお、特許文献１には、機器の遠隔操作中に機器側で操作画面が表示されることを必要に応じて回避するために、操作端末から操作情報を受信する受信部と、表示部と、受信部により受信された操作情報に対応する操作画面を表示部に表示する第１制御と、操作画面を表示しない第２制御と、を選択的に実行する制御部と、を備えた機器が提案されている。
【０００７】
また、特許文献２には、単純な機器構成で、画面を手動ではなく自動で切り替えることを可能とし、ユーザの利便性を向上する印刷システムとして、画面表示装置を共有する外部装置と優先表示設定されている外部装置が互いに接続されており、２つの外部装置は、画面表示装置に対するビデオ信号の送信を制御する制御手段と、外部装置と情報を送受信する送信手段及び受信手段とを備えている。一方の外部装置の操作画面が表示されているときに他方の外部装置がビデオ信号を送信した場合、一方の外部装置に優先表示情報を送信し、それを受信した外部装置は、ビデオ信号を停止する印刷システムが記載されている。
【０００８】
しかし特許文献１の技術は、独立して動作可能な複数のシステムと、これらシステムで共用される共有表示装置とを備えた情報処理機器に関する技術ではなく、また特許文献２に記載の技術は、遠隔表示装置からリモート接続が行われる技術ではなく、いずれも上述した、遠隔表示装置からいずれかのシステムに対するリモート操作を行う場合、共有表示装置に操作禁止画面を表示すると、他のシステムの操作は可能であるにもかかわらず、共有表示装置から他方のシステムの操作ができなくなってしまうという課題に対して、解決策を提供しうるものではなかった。
【０００９】
この発明は、このような技術的背景に鑑みてなされたものであって、複数のシステムと、これらシステムで共用される共有表示装置とを備えた情報処理機器におけるいずれかのシステムを遠隔表示装置により遠隔操作する場合に、遠隔表示装置からも共有表示装置からも情報処理機器を同時に利用することができる情報処理システム、及び情報処理機器の提供を課題とする。
【課題を解決するための手段】
【００１０】
上記課題は、以下の手段によって解決される。
（１）第１のシステム、第２のシステム、及び前記第１及び第２のシステムで共用操作される共有表示装置、を備えた情報処理機器と、該情報処理機器とリモート接続が可能であり前記第１または第２のシステムを遠隔操作可能な遠隔表示装置とを備えた情報処理システムであって、前記第１及び第２のシステムはそれぞれ、前記共有表示装置に表示される表示データを記憶する表示メモリと、該表示メモリに記憶された表示データを共有表示装置に表示させるための制御を行う描画制御手段と、を有し、前記遠隔表示装置は、リモート接続された前記情報処理機器から送信される前記第１または第２のシステムの操作画面を表示可能な表示手段を備え、前記情報処理機器はさらに、前記共有表示装置と第１のシステムまたは第２のシステムの描画制御手段との接続切替えを行う切替え制御手段を備え、前記情報処理機器の共有表示装置に前記第１または第２のシステムの操作画面が表示されている状態で、前記遠隔表示装置から操作要求がなされた場合、または前記遠隔表示装置の表示手段に前記第１または第２のシステムの操作画面が表示されている状態で、前記共有表示装置から前記第１または第２のシステムの操作要求がなされた場合に、第１または第２のシステムのうち現在利用されているシステムに応じて、前記遠隔表示装置の表示手段に操作画面を表示させまたは前記共有表示装置に操作画面を表示することを特徴とする情報処理システム。
（２）前記情報処理機器は、前記遠隔表示装置から操作要求がなされた場合、操作要求が第１のシステムの操作要求か第２のシステムの操作要求かを判断し、操作要求が第１のシステムの操作要求の場合であって、前記共有表示装置に表示されている操作画面が第１のシステムの操作画面である場合、前記遠隔表示装置に第２のシステムの操作画面を表示させ、操作要求が第２のシステムの操作要求の場合であって、前記共有表示装置に表示されている操作画面が第２のシステムの操作画面である場合、前記遠隔表示装置に第１のシステムの操作画面を表示させることを特徴とする前項１に記載の情報処理システム。
（３）前記第１のシステムは画像形成装置であり、前記第２のシステムはサーバであり、
前記遠隔表示装置の共有表示装置または前記情報処理機器の表示手段に表示される操作画面には、前記画像形成装置及びサーバでそれぞれ作成された自装置の操作画面と、前記画像形成装置で作成されたサーバの簡易操作画面と、前記サーバで作成された画像形成装置の簡易操作画面が含まれる前項１または２に記載の情報処理システム。
（４）前記遠隔表示装置が利用されていない状態で、前記情報処理機器の共有表示装置に、前記第１または第２のシステムの操作画面が表示されるとともに、前記簡易操作画面では設定できない設定項目の入力が行われているとき、前記遠隔表示装置から操作要求があった場合、前記情報処理機器は、前記第１または第２のシステムのうち利用されていないシステムの操作画面か、利用されているシステムの簡易操作画面を前記遠隔表示装置の表示手段に表示させることを特徴とする前項３に記載の情報処理システム。
（５）前記共有表示装置が利用されていない状態で、前記遠隔表示装置の表示手段に、前記第１または第２のシステムの操作画面が表示されるとともに、前記簡易操作画面では設定できない設定項目の入力が行われているとき、前記共有表示装置から操作要求があった場合、前記情報処理機器は、前記第１または第２のシステムのうち利用されていないシステムの操作画面か、利用されているシステムの簡易操作画面を前記共有表示装置に表示することを特徴とする前項３に記載の情報処理システム。
（６）前記情報処理機器の共有表示装置に、前記画像形成装置の操作画面が表示されるとともに、該操作画面を介してプリントまたはコピーまたはスキャンを行うための設定の入力が行われているとき、前記遠隔表示装置から前記画像形成装置の操作要求があった場合、前記情報処理機器は、前記画像形成装置の簡易操作画面を前記遠隔表示装置の表示手段に表示させることを特徴とする前項３に記載の情報処理システム。
（７）前記遠隔表示装置の表示手段に表示された画像形成装置の簡易操作画面で、簡易操作画面では設定不可能な機能を設定する場合、前記情報処理機器は、前記共有表示装置に表示されている画像形成装置の操作画面を利用しているユーザーに対し、画像形成装置を利用しても良いか問い合わせ、利用許可を得た場合、それまでの設定値を記憶手段に記憶し、共有表示装置には前記設定値を引き継いだ画像形成装置の簡易操作画面を表示して、引き続き設定可能な状態とし、さらに、前記遠隔表示装置に画像形成装置の操作画面を表示させ、該操作画面を介して遠隔表示装置から簡易操作画面では設定不可能な機能の設定の完了後に、共有表示装置に表示されている簡易操作画面を、該簡易操作画面で設定した設定値を引き継いだ操作画面に戻すとともに、遠隔表示装置の表示手段に表示されていた操作画面を簡易操作画面に戻すことを特徴とする前項６に記載の情報処理システム。
（８）前記遠隔表示装置の表示手段に表示された画像形成装置の簡易操作画面で、簡易操作画面では設定不可能な機能を設定する場合、前記情報処理機器は、前記共有表示装置に表示されている画像形成装置の操作画面を利用しているユーザーに対し、画像形成装置を利用しても良いか問い合わせ、利用許可を得た場合、それまでの設定値を記憶手段に記憶し、共有表示装置には前記設定値を引き継いだ画像形成装置の簡易操作画面を表示して、引き続き設定可能な状態とし、さらに、前記遠隔表示装置に画像形成装置の操作画面を表示させ、該操作画面を介して遠隔表示装置から簡易操作画面では設定不可能な機能の設定の完了後に、共有表示装置に表示されている簡易操作画面で設定を入力中か否かを判断し、入力中の場合は共有表示装置への簡易操作画面の表示を継続し、入力完了後に、共有表示装置に表示されている簡易操作画面を、該簡易操作画面で設定した設定値を引き継いだ操作画面に戻すとともに、遠隔表示装置の表示手段に表示されていた操作画面を簡易操作画面に戻すことを特徴とする前項６に記載の情報処理システム。
（９）前記共有表示装置に表示された操作画面が簡易操作画面に切り替えられた後、簡易操作画面での設定が完了し、サーバの操作画面が起動された状態で、サーバの前記操作画面により設定が入力されているときは、前記情報処理機器は、遠隔表示装置に表示された画像形成装置の操作画面の操作が完了しても、サーバの設定入力が完了するまでは、共有表示装置におけるサーバの操作画面から画像形成装置の操作画面への切り替えは行わないことを特徴とする前項８に記載の情報処理システム。
（１０）前記遠隔表示装置の表示手段に表示された画像形成装置の簡易操作画面で、簡易操作画面では設定不可能な機能を設定する場合、前記情報処理機器は、共有表示装置に表示された操作画面で設定されたそれまでの設定値を記憶手段に記憶し、前記遠隔表示装置に画像形成装置の操作画面を、共有表示装置には画像形成装置の簡易操作画面を、それぞれ強制的に切り替え表示し、共有表示装置に表示された簡易操作画面により、前記記憶手段に記憶した設定値を引き続いて利用可能な状態とすることを特徴とする前項６に記載の情報処理システム。
（１１）前記遠隔表示装置に前記画像形成装置の操作画面が表示されるとともに、該操作画面を介してプリントまたはコピーまたはスキャンを行うための設定の入力が行われているとき、前記情報処理機器の共有表示装置を介して前記画像形成装置の操作要求があった場合、前記情報処理機器は、前記画像形成装置の簡易操作画面を前記共有表示装置に表示することを特徴とする前項３に記載の情報処理システム。
（１２）前記共有表示装置に表示された画像形成装置の簡易操作画面で、簡易操作画面では設定不可能な機能を設定する場合、前記情報処理機器は、前記遠隔表示装置に表示されている画像形成装置の操作画面を利用しているユーザーに対し、画像形成装置を利用しても良いか問い合わせ、利用許可を得た場合、遠隔表示装置に表示されている操作画面で行われたそれまでの設定値を記憶手段に記憶するとともに、遠隔表示装置の表示手段には前記設定値を引き継いだ画像形成装置の簡易操作画面に戻して引き続き設定可能な状態とし、さらに、前記共有表示装置に画像形成装置の操作画面を表示し、該操作画面を介して簡易操作画面では設定不可能な機能の設定の完了後に、遠隔表示装置に表示されている簡易操作画面を、該簡易操作画面で設定した設定値を引き継いだ操作画面に戻すとともに、共有表示装置に表示されていた操作画面を簡易操作画面に戻すことを特徴とする前項１１に記載の情報処理システム。
（１３）前記共有表示装置に表示された画像形成装置の簡易操作画面で、簡易操作画面では設定不可能な機能を設定する場合、前記情報処理機器は、前記遠隔表示装置に表示されている画像形成装置の操作画面を利用しているユーザーに対し、画像形成装置を利用しても良いか問い合わせ、利用許可を得た場合、遠隔表示装置に表示されている操作画面で行われたそれまでの設定値を記憶手段に記憶し、遠隔表示装置には前記設定値を引き継いだ画像形成装置の簡易操作画面を表示させて、引き続き設定可能な状態とし、さらに、前記共有表示装置に画像形成装置の操作画面を表示し、該操作画面を介して簡易操作画面では設定不可能な機能の設定の完了後に、遠隔表示装置に表示されている簡易操作画面で設定を入力中か否かを判断し、入力中の場合は遠隔表示装置への簡易操作画面の表示を継続させ、入力完了後に、遠隔表示装置に表示されている簡易操作画面を、該簡易操作画面で設定した設定値を引き継いだ操作画面に戻すとともに、共有表示装置に表示されていた操作画面を簡易操作画面に戻すことを特徴とする前項１１に記載の情報処理システム。
（１４）前記遠隔表示装置に表示された操作画面が簡易操作画面に切り替えられた後、簡易操作画面での設定が完了し、サーバの操作画面が起動された状態で、サーバの前記操作画面により設定が入力されているときは、前記情報処理機器は、共有表示装置に表示された画像形成装置の操作画面の操作が完了しても、サーバの設定入力が完了するまでは、遠隔表示装置におけるサーバの操作画面から画像形成装置の操作画面への切り替えは行わないことを特徴とする前項１３に記載の情報処理システム。
（１５）前記共有表示装置に表示された画像形成装置の簡易操作画面で、簡易操作画面では設定不可能な機能を設定する場合、前記情報処理機器は、遠隔表示装置に表示された操作画面で設定されたそれまでの設定値を記憶手段に記憶し、さらに、前記共有表示装置に画像形成装置の操作画面を、遠隔表示装置には画像形成装置の簡易操作画面を、それぞれ強制的に切り替え表示させ、遠隔表示装置に表示された簡易操作画面により、前記記憶手段に記憶した設定値を引き続いて利用可能な状態とすることを特徴とする前項１１に記載の情報処理システム。
（１６）前記情報処理機器の共有表示装置に、前記画像形成装置の操作画面が表示されるとともに、該操作画面を介してプリントまたはコピーまたはスキャンを行うための設定の入力が行われ、前記遠隔表示装置の表示手段にサーバの操作画面が表示され、サーバの設定の入力が行われている状態で、遠隔表示装置のサーバの操作画面による操作が一時中断され、画像形成装置が操作されるときは、前記情報処理機器は、遠隔表示装置のサーバの操作画面により設定されたそれまでの設定値を記憶手段に記憶し、さらに、遠隔表示装置の表示手段に画像形成装置の簡易操作画面を表示させ、画像形成装置の操作完了後、前記記憶手段に記憶した設定値を反映したサーバの操作画面に戻すことを特徴とする前項３に記載の情報処理システム。
（１７）前記遠隔表示装置の表示手段に、前記画像形成装置の操作画面が表示されるとともに、該操作画面を介してプリントまたはコピーまたはスキャンを行うための設定の入力が行われ、前記共有表示装置にサーバの操作画面が表示され、サーバの設定の入力が行われている状態で、共有表示装置のサーバの操作画面による操作が一時中断され、画像形成装置が操作されるときは、前記情報処理機器は、共有表示装置のサーバの操作画面により設定されたそれまでの設定値を記憶手段に記憶し、さらに、共有表示装置に画像形成装置の簡易操作画面を表示させ、画像形成装置の操作完了後、前記記憶手段に記憶した設定値を反映したサーバの操作画面に戻すことを特徴とする前項３に記載の情報処理システム。
（１８）共有表示装置に表示された操作画面を介して画像形成装置が操作され、かつ、遠隔表示装置の表示手段に表示された操作画面を介してサーバが操作されているとき、前記情報処理機器は、共有表示装置にはサーバの全ては操作できない旨を表示かるとともに、遠隔表示装置には画像形成装置の全ては操作できない旨を表示させ、画像形成装置の操作が終了したことが検知された場合、画像形成装置の全ての操作が可能である旨を遠隔表示装置に表示させ、サーバの操作が終了したことが検知された場合、サーバの全ての操作が可能である旨を共有表示装置に表示することを特徴とする前項３に記載の情報処理システム。
（１９）前項１〜１８のいずれかに記載の情報処理システムに用いられる情報処理機器。
【発明の効果】
【００１１】
前項（１）に記載の発明によれば、情報処理機器の共有表示装置に前記第１または第２のシステムの操作画面が表示されている状態で、遠隔表示装置から操作要求がなされた場合、または遠隔表示装置の表示手段に第１または第２のシステムの操作画面が表示されている状態で、共有表示装置から第１または第２のシステムの操作要求がなされた場合に、第１または第２のシステムのうち現在利用されているシステムに応じて、遠隔表示装置の表示手段または共有表示装置へ操作画面が表示されるから、共有表示装置に表示された操作画面と遠隔表示装置に表示された操作画面のいずれを介しても情報処理機器を同時に利用することができ、情報処理機器の効率的な利用を実現することができる。
【００１２】
前項（２）に記載の発明によれば、リモート接続要求が第１のシステムの操作要求の場合であって、共有表示装置に表示されている操作画面が第１のシステムの操作画面である場合、遠隔表示装置に第２のシステムの操作画面が表示され、リモート接続要求が第２のシステムの操作要求の場合であって、共有表示装置に表示されている操作画面が第２のシステムの操作画面である場合、遠隔表示装置に第１のシステムの操作画面が表示されるから、共有表示装置に表示された操作画面または遠隔表示装置に表示された操作画面により、第１及び第２の両方のシステムを同時に利用することができる。
【００１３】
前項（３）に記載の発明によれば、操作画面には、画像形成装置及びサーバでそれぞれ作成された自装置の操作画面のほか、画像形成装置で作成されたサーバの簡易操作画面と、サーバで作成された画像形成装置の簡易操作画面が含まれるから、画像形成装置のリソースを用いてサーバの簡易操作画面を、サーバのリソースを用いて画像形成装置の簡易操作画面をそれぞれ作成でき、操作画面作成に対する負荷を軽減することができる。
【００１４】
前項（４）に記載の発明によれば、共有表示装置に表示された操作画面を介して、第１または第２のシステムの一方を利用しているときに、利用されていない他方のシステムを遠隔表示装置に表示された操作画面を介して利用することができる。
【００１５】
前項（５）に記載の発明によれば、遠隔表示装置に表示された操作画面を介して、第１または第２のシステムの一方を利用しているときに、利用されていない他方のシステムを共有表示装置に表示された操作画面を介して利用することができる。
【００１６】
前項（６）に記載の発明によれば、共有表示装置を利用しているユーザーの操作権限を、遠隔表示装置を利用する他のユーザーが奪わないため、共有表示装置を利用しているユーザーの入力操作を途切れさせることがなく、共有表示装置の操作性を保持できる。
【００１７】
前項（７）に記載の発明によれば、遠隔表示装置を利用しているユーザーが、遠隔表示装置に表示されている簡易操作画面で設定できない項目に対して、共有表示装置から操作している他のユーザーから一時的に、全ての設定が可能な操作画面の権限を譲渡されることにより、設定できない項目をなくすことができる。
【００１８】
前項（８）に記載の発明によれば、共有表示装置の表示画面が画像形成装置の操作画面から簡易操作画面に切り替わった後、この簡易操作画面で設定値を入力中である場合は、強制的に簡易操作画面から操作画面へと切り替えられることが無いので、共有表示装置から操作を行っているユーザーに対する操作性を確保できる。
【００１９】
前項（９）に記載の発明によれば、共有表示装置から操作を行っているユーザーが、画像形成装置の簡易操作画面からサーバの操作画面に切り替えたとしても、このユーザーがサーバの操作画面で設定値を入力中である場合は、強制的にサーバの操作画面から画像形成装置の操作画面へと切り替えられることが無いので、共有表示装置から操作を行っているユーザーに対する操作性を確保できる。
【００２０】
前項（１０）に記載の発明によれば、遠隔表示装置の表示手段に表示された画像形成装置の簡易操作画面で、簡易操作画面では設定不可能な機能を設定する場合、遠隔表示装置に画像形成装置の操作画面を、共有表示装置には画像形成装置の簡易操作画面を、それぞれ強制的に切り替え表示するから、遠隔表示装置の操作ユーザーは待ち時間なく画像形成装置の全ての操作を行うことができる。
【００２１】
前項（１１）に記載の発明によれば、遠隔表示装置を利用しているユーザーの操作権限を、共有表示装置を利用している他のユーザーが奪わないため、遠隔表示装置を利用しているユーザーの入力操作を途切れさせることがなく、遠隔表示装置の操作性を保持できる。
【００２２】
前項（１２）に記載の発明によれば、共有表示装置を利用しているユーザーが、共有表示装置に表示されている簡易操作画面で設定できない項目に対して、遠隔表示装置から操作している他のユーザーから一時的に、全ての設定が可能な操作画面の権限を譲渡することにより、設定できない項目をなくすことができる。
【００２３】
前項（１３）に記載の発明によれば、遠隔表示装置の表示画面が画像形成装置の操作画面から簡易操作画面に切り替わった後、この簡易操作画面で設定値を入力中である場合は、強制的に簡易操作画面から操作画面へと切り替えられることが無いので、遠隔表示装置から操作を行っているユーザーに対する操作性を確保できる。
【００２４】
前項（１４）に記載の発明によれば、遠隔表示装置から操作を行っているユーザーが、画像形成装置の簡易操作画面からサーバの操作画面に切り替えたとしても、このユーザーがサーバの操作画面で設定値を入力中である場合は、強制的にサーバの操作画面から画像形成装置の操作画面へと切り替えられることが無いので、遠隔表示装置から操作を行っているユーザーに対する操作性を確保できる。
【００２５】
前項（１５）に記載の発明によれば、共有表示装置に表示された画像形成装置の簡易操作画面で、簡易操作画面では設定不可能な機能を設定する場合、共有表示装置に画像形成装置の操作画面を、遠隔表示装置には画像形成装置の簡易操作画面を、それぞれ強制的に切り替え表示するから、共有表示装置の操作ユーザーは待ち時間なく画像形成装置の全ての操作を行うことができる。
【００２６】
前項（１６）に記載の発明によれば、遠隔表示装置の操作ユーザーは、サーバの操作画面により行われた設定値が記憶手段に一時保有された状態で、画像形成装置の操作に移行することができる。
【００２７】
前項（１７）に記載の発明によれば、共有表示装置の操作ユーザは、サーバの操作画面により行われた設定値が記憶手段に一時保有された状態で、画像形成装置の操作に移行することができる。
【００２８】
前項（１８）に記載の発明によれば、共有表示装置で画像形成装置が操作され、遠隔表示装置でサーバが操作されているとき、全ては操作できないことを示すメッセージをそれぞれ表示することで、他方のユーザーが割り込んで画像形成装置やサーバを操作することを防止できる。
【００２９】
前項（１９）に記載の発明によれば、共有表示装置に表示された操作画面と遠隔表示装置に表示された操作画面のいずれを介しても情報処理機器を同時に利用できる情報処理システムに、好適に用いることができる情報処理機器となる。
【図面の簡単な説明】
【００３０】
【図１】この発明の一実施形態に係る情報処理システムの構成を示すブロック図である。
【図２】遠隔表示装置の構成を示すブロック図である。
【図３】遠隔表示装置からの操作と共有表示装置からの操作が同時に行われる場合の、情報処理システムの動作を説明するためのフローチャートである。
【図４】遠隔表示装置２からの操作と共有表示装置からの操作が同時に行われる場合の、情報処理システムの他の動作を説明するためのフローチャートである。が押されたときに遷移する画像処理装置側の機能メニュー画面を示す図である。
【図５】遠隔表示装置からの操作と共有表示装置からの操作が同時に行われる場合の、情報処理システムのさらに他の動作を説明するためのフローチャートである。
【図６】遠隔表示装置からの操作と共有表示装置からの操作が同時に行われる場合の、情報処理システムのさらに他の動作を説明するためのフローチャートである。
【図７】遠隔表示装置からの操作と共有表示装置からの操作が同時に行われる場合の、情報処理システムのさらに他の動作を説明するためのフローチャートである。
【図８】図７に示した動作例における共有表示装置と遠隔表示装置のシーケンス図である。
【図９】遠隔表示装置からの操作と共有表示装置からの操作が同時に行われる場合の、情報処理システムのさらに他の動作を説明するためのフローチャートである。
【図１０】図９に示した動作例における共有表示装置と遠隔表示装置のシーケンス図である。
【図１１】遠隔表示装置からの操作と共有表示装置からの操作が同時に行われる場合の、情報処理システムのさらに他の動作を説明するためのフローチャートである。
【図１２】図１１に示した動作例における共有表示装置と遠隔表示装置のシーケンス図である。
【図１３】遠隔表示装置からの操作と共有表示装置からの操作が同時に行われる場合の、情報処理システムのさらに他の動作を説明するためのフローチャートである。
【図１４】図１３に示した動作例における共有表示装置と遠隔表示装置のシーケンス図である。
【図１５】遠隔表示装置からの操作と共有表示装置からの操作が同時に行われる場合の、情報処理システムのさらに他の動作を説明するためのフローチャートである。
【図１６】遠隔表示装置からの操作と共有表示装置からの操作が同時に行われる場合の、情報処理システムのさらに他の動作を説明するためのフローチャートである。
【図１７】図１６に示した動作例における共有表示装置と遠隔表示装置のシーケンス図である。
【図１８】遠隔表示装置からの操作と共有表示装置からの操作が同時に行われる場合の、情報処理システムのさらに他の動作を説明するためのフローチャートである。
【図１９】図１８に示した動作例における共有表示装置と遠隔表示装置のシーケンス図である。
【図２０】遠隔表示装置からの操作と共有表示装置からの操作が同時に行われる場合の、情報処理システムのさらに他の動作を説明するためのフローチャートである。
【図２１】図２０に示した動作例における共有表示装置と遠隔表示装置のシーケンス図である。
【図２２】遠隔表示装置からの操作と共有表示装置からの操作が同時に行われる場合の、情報処理システムのさらに他の動作を説明するためのフローチャートである。
【図２３】図２２に示した動作例における共有表示装置と遠隔表示装置のシーケンス図である。
【図２４】遠隔表示装置からの操作と共有表示装置からの操作が同時に行われる場合の、情報処理システムのさらに他の動作を説明するためのフローチャートである。
【図２５】遠隔表示装置からの操作と共有表示装置からの操作が同時に行われる場合の、情報処理システムのさらに他の動作を説明するためのフローチャートである。
【図２６】遠隔表示装置からの操作と共有表示装置からの操作が同時に行われる場合の、情報処理システムのさらに他の動作を説明するためのフローチャートである。
【発明を実施するための形態】
【００３１】
以下、この発明の実施形態を図面に基づいて説明する。
【００３２】
図１は、この発明の一実施形態に係る情報処理システムの構成を示すブロック図である。この情報処理システムは、情報処理機器１０と遠隔表示装置２を備えている。
【００３３】
情報処理機器１０は、この実施形態では、いずれも独立して動作する第１のシステム１００と第２のシステム２００が１つの筐体に収容されることにより構成されている。この実施形態では、第１のシステム１００として、前述したＭＦＰからなる画像処理装置が用いられ、第２のシステム２００としてＰＣ等からなるサーバが用いられている。なお、以下の説明では、第１のシステムを画像形成装置またはＭＦＰともいい、第２のシステムをサーバまたは外部装置ともいう。ＭＦＰ１００とサーバ２００は必ずしも１つの筐体に収容されていなくても良く、ＭＦＰ１００とサーバ２００が隣接配置されているようなものも情報処理機器１０に含まれる。
【００３４】
情報処理機器１０は、上述したＭＦＰ１００と、サーバ２００と、これら両装置で共用される１個の共有表示装置３００とを有している。
【００３５】
ＭＦＰ１００はそれ自体が独立して動作するため、システム制御部１０２、描画制御部１０３、図示しない記憶部等を有している。システム制御部１０２は、ＭＦＰ１００の全体を制御するものであり、ＣＰＵ１０２ａ、ＲＯＭ１０２ｂ、ＲＡＭ１０２ｃ等を有している。ＣＰＵ１０２ａはＭＦＰ１００の全体を動作プログラムに従って統括的に制御するものであり、ＲＯＭ１０２ｂはＣＰＵ１０２ａの動作プログラムを格納する記憶媒体であり、ＲＡＭ１０２ｃはＣＰＵ１０２ａが動作する際の作業領域を提供する記憶媒体である。
【００３６】
また、ステム制御部１０２は、ＭＦＰ１００側の表示データを共有表示装置３００に表示させたい場合は、切替え制御部２０に接続要求を発行するようになっている。
【００３７】
さらに、システム制御部１０２にはエンジン制御部１０６やスキャナー制御部１０７、外部インターフェース（Ｉ／Ｆ）制御部１０８等が接続されている。エンジン制御部１０６は画像の形成を行うエンジン部を制御し、スキャナー制御部１０７は原稿の読み取りを行うスキャナーを制御するものであり、エンジン制御部１０６、スキャナー制御部１０７は、システム制御部１０２の制御に基づいて、ユーザー操作の受け付け、コピー機能、プリンタ機能、スキャン機能等の機能を実行する。外部インターフェース制御部１０８は、システム制御部１０２の指令に基づいて、ＬＡＮ等のネットワークとＭＦＰ１００を接続する制御を行う。
【００３８】
描画制御部１０３は、表示データ１０４を記憶するＶＲＡＭと称されるような表示メモリ１０５を有しており、表示メモリ１０５に記憶されている操作画面用の表示データを共有表示装置３００に転送して表示させたり、サーバ２００のシステム制御部２０２を介して遠隔表示装置２に転送したり、自装置に保有されている操作ボタン、メッセージ等の多数の表示パーツを組み合わせて表示データ１０４を生成して表示メモリ１０５に記憶させ、必要に応じて表示メモリ１０５の内容の更新等を行う。さらに、この実施形態では、描画制御部１０３はサーバ２００の一部の操作画面を簡易操作画面として構成する表示データもサーバ２００の代わりに作成する。簡易操作画面では、ユーザーはサーバ２００の基本的な設定を行うことができるが、一部の詳細な設定については入力できない。
【００３９】
一方、サーバ２００もそれ自体が独立して動作するため、システム制御部２０２と描画制御部２０３を有している。システム制御部２０２は、サーバ２００の全体を制御するものであり、ＣＰＵ２０２ａ、ＲＯＭ２０２ｂ、ＲＡＭ２０２ｃ等を有している。ＣＰＵ２０２ａはサーバ２００の全体を動作プログラムに従って統括的に制御するものであり、ＲＯＭ２０２ｂはＣＰＵ２０２ａの動作プログラムを格納する記憶媒体であり、ＲＡＭ２０２ｃはＣＰＵ２０２ａが動作する際の作業領域を提供する記憶媒体である。システム制御部２０２の制御に基づいて、ユーザー操作の受け付けや、受け付けた操作に応じた処理等が実行される。また、システム制御部２０２は、サーバ２００側の表示データを共有表示装置３００に表示させたい場合は、切替え制御部２０に接続要求を発行するようになっている。
【００４０】
描画制御部２０３は、表示データ２０４を記憶する表示メモリ２０５を有しており、表示メモリ２０５に記憶されている操作画面用の表示データを共有表示装置３００に転送して表示させたり、システム制御部２００を介して遠隔表示装置２に転送して表示させたり、自装置に保有されている操作ボタン、メッセージ等の多数の表示パーツを組み合わせて表示データ２０４を生成し表示メモリ２０５に記憶させ、必要に応じて表示メモリ２０５の内容の更新等を行う。さらに、この実施形態では、描画制御部２０３はＭＦＰ１００の一部の操作画面を簡易操作画面として構成する表示データもＭＦＰ１００の代わりに作成する。簡易操作画面では、ユーザーはＭＦＰ１００の基本的な設定を行うことができるが、一部の詳細な設定については入力できない。
【００４１】
なお、サーバ２００はシステム制御部２０２や描画制御部２０３の他に、ハードディスク装置等の記憶装置や、外部インターフェース制御部２０６等を有している。外部インターフェース制御部２０６は、システム制御部２０２の指令に基づいて、ＬＡＮ等のネットワークを介して遠隔表示装置２等の外部装置と接続する制御を行う。この実施形態では、情報処理機器１０と遠隔表示装置２との通信は、システム制御部２００が代表して行う構成となっている。
【００４２】
共有表示装置３００は、たとえば液晶装置等により構成された表示装置であり、表面にタッチパネルが積層されている。これにより、ユーザーが画面をタッチすると、タッチ座標を示すタッチ情報がＭＦＰ１００またはサーバ２００に送信され、ＭＦＰ１００またはサーバ２００がタッチされた座標データに対応する処理を実行したり、表示メモリ１０５、２０５に記憶された表示データを共有表示装置３００に転送して表示させるようになっている。
【００４３】
この実施形態では、１つの共有表示装置３００をＭＦＰ１００とサーバ２００で共用するため、情報処理機器１０にはセレクタ３０と切替え制御部２０が備えられている。
【００４４】
セレクタ３０は、ＭＦＰ１００及びサーバ２００の各描画制御部１０３、２０３と共有表示装置３００との接続を切り替えるものである。つまり、セレクタ３０によってＭＦＰ１００の描画制御部１０３と共有表示装置３００との接続に切り替えられたときは、ＭＦＰ１００の表示メモリ１０５に記憶されている表示データ１０４がセレクタ３０を介して共有表示装置３００に転送され表示される。また、共有表示装置３００に表示されたＭＦＰ１００側の操作画面に対してユーザーにより操作が行われたときは、共有表示装置３００からタッチ情報がＭＦＰ１００に送信される。セレクタ３０によってサーバ２００の描画制御部２０３と共有表示装置３００との接続に切り替えられたときは、サーバ２００の表示メモリ２０５に記憶されている表示データ２０４がセレクタ３０を介して共有表示装置３００に転送され表示される。また、共有表示装置３００に表示されたサーバ２００側の操作画面に対してユーザーにより操作が行われたときは、共有表示装置３００からタッチ情報がサーバ２００に送信される。
【００４５】
切替え制御部２０は、ＭＦＰ１００及びサーバ２００の各システム制御部１０２、２０２から発行された接続要求を受信して、セレクタ３０による接続切替えを制御する。つまり、ＭＦＰ１００のシステム制御部１０２から接続要求が発行されたときは、ＭＦＰ１００の描画制御部１０３と共有表示装置３００とをセレクタ３０により接続し、サーバ２００のシステム制御部２０２から接続要求が発行されたときは、サーバ２００の描画制御部２０３と共有表示装置３００とをセレクタ３０により接続する。
【００４６】
このように、この実施形態では共有表示装置３００はＭＦＰ１００とサーバ２００とで共用されるから、１つの共有表示装置３００で足り、各装置毎に共有表示装置３００が備えられている場合に較べて共有表示装置３００の数が少なくて済み、操作性が良好になり、共有表示装置３００の設置スペースも少なくて済み、その分情報処理機器１０の小型化を図ることができる。
【００４７】
また、ＭＦＰ１００及びサーバ２００の各システム制御部１０２、２０２は相互に通信部１１を介して通信可能に接続されていて、互いの表示データや各種の情報を送受信可能となっている。なお通信部１１は例えばＵＳＢインターフェース等を用いて構成されていても良いし、ネットワークを介して構成されていても良い。
【００４８】
なお、ＭＦＰ１００及びサーバ２００の各システム制御部１０２、２０２は、いずれか一つのシステム制御部で両方のシステム制御部の機能を発揮させる構成としても良い。
【００４９】
遠隔表示装置２は、ＣＰＵ、ＲＡＭ、固定記憶装置（ハードディスク装置など）、モニタ、タッチ操作可能な液晶パネル等を有する携帯型のコンピュータ装置である。電子化された文書を蓄積して持ち運び、どこでも閲覧、編集を行うことができる。また、無線通信する手段を有し、情報処理機器１０との間で、ＭＦＰ１００やサーバ２００で作成されたの操作画面や簡易操作画面の表示データ等の送受信を行うことができるほか、情報処理機器１０を遠隔操作する手段を有する。
【００５０】
この実施形態では、ＭＦＰ１００の機能の全てを使用できる操作画面、またはサーバ２００で作成されたＭＦＰ１００の機能の一部のみを使用できる簡易操作画面には、画面の一部に切り替えボタンが表示され、これらの操作画面または簡易操作画面が共有表示装置３００または遠隔表示装置２に表示された状態で、切り替えボタンが押されると、サーバ２００の機能の全てを使用できる操作画面に切り替えられるようになっている。ＭＦＰ１００の操作画面が表示されているときに切り替えボタンが押されると、切り替えボタンが押されたことが共有表示装置３００からＭＦＰ１００のシステム制御部１０２からサーバ２００のシステム制御部２０２に通知され、システム制御部２０２は切替え制御部２０に接続要求を発行して、自装置の操作画面を共有表示部３００に表示するようになっている。また、ＭＦＰ１００の簡易操作画面が表示されているときに切り替えボタンが押されると、切り替えボタンが押されたことが共有表示装置３００からサーバ２００のシステム制御部２０２に通知され、システム制御部２０２は切替え制御部２０に接続要求を発行して、自装置の操作画面を共有表示部３００に表示するようになっている。
【００５１】
逆に、サーバ２００の機能の全てを使用できる操作画面、またはＭＦＰ１００で作成されたサーバ２００の機能の一部のみを使用できる簡易操作画面には、画面の一部に切り替えボタンが表示され、これらの操作画面または簡易操作画面が共有表示装置３００または遠隔表示装置２に表示された状態で、切り替えボタンが押されると、ＭＦＰ１００の機能の全てを使用できる操作画面に切り替えられるようになっている。サーバ２００の操作画面が表示されているときに切り替えボタンが押されると、切り替えボタンが押されたことが共有表示装置３００からサーバ２００のシステム制御部２０２からＭＦＰ１００のシステム制御部１０２に通知され、システム制御部１０２は切替え制御部２０に接続要求を発行して、自装置の操作画面を共有表示部３００に表示するようになっている。また、サーバ２００の簡易操作画面が表示されているときに切り替えボタンが押されると、切り替えボタンが押されたことが共有表示装置３００からＭＦＰ１００のシステム制御部１０２に通知され、システム制御部１０２は切替え制御部２０に接続要求を発行して、自装置の操作画面を共有表示部３００に表示するようになっている。
【００５２】
図２は遠隔表示装置２の構成を示すブロック図である。遠隔表示装置２は、例えばタブレット端末やスマートフォンなどからなり、ＣＰＵ２１、制御プログラムの格納されたＲＯＭ２２、作業用のＲＡＭ２３を備え、ＲＯＭ２２及びＲＡＭ２３はそれぞれバスを介してＣＰＵ２１に接続されている。また、ＣＰＵ２１、ＲＯＭ２２及びＲＡＭ２３により、遠隔表示装置２の全体を統括的に制御する制御部２０を形成している。
【００５３】
制御部２０には、各種の情報を表示するとともに画面を直接タッチして操作入力を行う、タッチパネルを備えた表示部２５、ワイヤレスランインターフェース２６、短距離無線インターフェース２７が、バスを介してそれぞれ接続されている。ワイヤレスランインターフェース２６は、ネットワークとの通信や情報機器１０との通信に利用され、短距離無線インターフェース２７は例えばブルートゥース（登録商標）や赤外線通信等の短距離無線通信を行うためのインターフェースである。
【００５４】
さらに、制御部２０には固定記憶装置２４がバスを介して接続されている。固定記憶装置２４とは例えばハードディスク装置である。この固定記憶装置２４には、各種のデータが記憶されている。
【００５５】
次に、図１に示した情報処理システムの動作を説明する。
【００５６】
遠隔表示装置２と情報機器１０のサーバ２００のシステム制御部２００とは、それぞれ連携アプリケーションを搭載されることにより、リモート接続による連携動作を行うことができるようになっている。リモート接続による連係動作とは、ＭＦＰ１００の操作画面や簡易操作画面、サーバ２００の操作画面や簡易操作画面の表示データを、サーバ２００のシステム制御部２００から遠隔表示装置２に送信し、遠隔表示装置２の表示部２５に表示させることで、情報処理機器１０の共有表示装置３００に表示される、ＭＦＰ１００の操作画面や簡易操作画面、サーバ２００の操作画面や簡易操作画面と同じ画面を遠隔表示装置２に表示させて、遠隔表示装置２からＭＦＰ１００やサーバ２００の操作を行うことを可能とする動作である。
【００５７】
つまり、遠隔表示装置２のユーザーがリモート接続の要求を情報処理機器１０に対して行い、利用したいＭＦＰ１００またはサーバ２００を指定すると、ＭＦＰ１００またはサーバ２００でそれぞれ作成されたＭＦＰ１００の操作画面またはサーバ２００の操作画面が表示部２５に表示される。ユーザーが操作画面をタッチ操作すると、操作画面上のタッチ位置の情報が情報処理機器１０のシステム制御部２００に送信され、システム制御部２００はタッチ位置情報に対応する処理を実行する。遠隔表示装置２の表示部２５に表示された操作画面がＭＦＰ１００の操作画面や、サーバ２００側で作成されたＭＦＰ１００の簡易操作画面である場合は、システム制御部２００はタッチ位置情報をＭＦＰ１００に通知し、ＭＦＰ１００は通知されたタッチ位置情報に応じた処理、例えば設定値の設定や画面の更新等を行う。遠隔表示装置２の表示部２５に表示された操作画面がサーバ２００の操作画面や、ＭＦＰ１００側で作成されたサーバ２００の簡易操作画面である場合は、システム制御部２００はタッチ位置情報に応じた処理、例えば設定値の設定や画面の更新等を行う。
【００５８】
なお、前述したように、簡易操作画面はＭＦＰ１００側で作成されたサーバ２００の操作画面、またはサーバ２００側で作成されたＭＦＰ１００の操作画面であるため、比較的簡単な設定等を行うことができるが、特殊な設定は行えないようになっている。
【００５９】
一方、遠隔表示装置２からの情報処理機器１０の操作の他、この実施形態では、共有表示装置３００に表示された操作画面や簡易操作画面から、ＭＦＰ１００やサーバ２００の操作が勿論可能であり、さらに遠隔表示装置２からの操作と共有表示装置３００からの操作を同時に行うことができるようになっている。ただし、現在利用されているＭＦＰ１００またはサーバ２００に応じて、遠隔表示装置２や共有表示装置３００に表示される操作画面や簡易操作画面は、以下に説明するように設定されている。
【００６０】
図３は、遠隔表示装置２からの操作と共有表示装置３００からの操作が同時に行われる場合の、情報処理システムの動作を説明するためのフローチャートである。
【００６１】
遠隔表示装置２からリモート接続の要求があると、情報処理機器１０のシステム制御部２００はステップＳ０１で、リモート接続の要求（操作要求）が第１のシステム（システム１）の操作要求か、第２のシステム（システム２）の操作要求かを判断する。システム１の操作要求であれば、ステップＳ０２で、共有表示装置３００にシステム１の操作画面が他のユーザーにより既に表示されているかどうかを調べ、表示されていれば（ステップＳ０２でＹＥＳ）、ステップＳ０３で、遠隔表示装置３の操作画面をシステム２の操作画面に切り替えて表示する。共有表示装置３００にシステム１の操作画面が表示されていなければ（ステップＳ０２でＮＯ）、ステップＳ０４で、遠隔表示装置３の操作画面としてシステム１の操作画面を表示する。
【００６２】
ステップＳ０１で、リモート接続の要求がシステム２の操作要求であれば、ステップＳ０５で、共有表示装置３００にシステム２の操作画面が他のユーザーにより既に表示されているかどうかを調べ、表示されていれば（ステップＳ０５でＹＥＳ）、ステップＳ０６で、遠隔表示装置３の操作画面をシステム１の操作画面に切り替えて表示する。共有表示装置３００にシステム２の操作画面が表示されていなければ（ステップＳ０５でＮＯ）、ステップＳ０７で、遠隔表示装置３の操作画面としてシステム２の操作画面を表示する。
【００６３】
このようにして、遠隔表示装置２と共有表示装置３００にそれぞれ異なるシステムの操作画面が表示されるから、異なるユーザーがそれぞれ遠隔表示装置２と共有表示装置３００により、システム１とシステム２の操作を同時に行うことができる。
【００６４】
図４は、遠隔表示装置２からの操作と共有表示装置３００からの操作が同時に行われる場合の、情報処理システムの他の動作を説明するためのフローチャートである。
【００６５】
ステップＳ１１で遠隔表示装置２が利用されていない状態で、ステップＳ１２で、ユーザー１が共有表示装置３００にシステム１の操作画面である画像形成装置操作画面を表示し、ステップＳ１３で、プリントまたはコピーまたはスキャンを行うための設定値の入力中である場合において、ユーザー２により遠隔表示装置２からリモート接続の要求があると、情報処理機器１０のシステム制御部２００はステップＳ１４で、リモート接続の要求がどちらのシステムの操作要求かを判断する。システム１（画素形成装置）の操作要求であれば、ステップＳ１５で、遠隔表示装置２の操作画面として、システム２（外部装置であるサーバ）のリソースを用いて作成されたシステム１の簡易操作画面（簡易画像形成装置操作画面）を用意し、遠隔表示装置２に表示データを送信して表示させる。
【００６６】
ステップＳ１４において、リモート接続の要求がシステム２（外部装置）の操作要求であれば、ステップＳ１６で、遠隔表示装置２の操作画面として、システム２で作成されたシステム２の操作画面（外部装置操作画面）を用意し、遠隔表示装置２に表示データを送信して表示させる。
【００６７】
このようにして、異なるユーザーが遠隔表示装置２と共有表示装置３００からそれぞれ情報処理機器１０の操作を同時に行うことができる。しかも、ユーザー１により共有表示装置３００に画像形成装置操作画面が表示されていれば、ユーザー２が遠隔表示装置２により画像形成装置を利用したい場合は、利用されていないシステム２のリソースを用いて作成された簡易画像形成装置操作画面が遠隔表示装置２に表示されるから、画像形成装置１００による操作画面の作成負荷を軽減することができる。
【００６８】
図５は、遠隔表示装置２からの操作と共有表示装置３００からの操作が同時に行われる場合の、情報処理システムのさらに他の動作を説明するためのフローチャートである。
【００６９】
ステップＳ２１で共有表示装置５が利用されていない状態で、ステップＳ２２で、ユーザー１が遠隔表示装置２にシステム１の操作画面である画像形成装置操作画面を表示し、ステップＳ２３で、プリントまたはコピーまたはスキャンを行うための設定値の入力中である場合において、ユーザー２により共有表示装置３００から操作要求があると、情報処理機器１０のシステム制御部２００はステップＳ２４で、操作要求がどちらのシステムの操作要求かを判断する。システム１（画素形成装置）の操作要求であれば、ステップＳ２５で、共有表示装置３００の操作画面として、システム２（外部装置であるサーバ）のリソースを用いて作成されたシステム１の簡易操作画面（簡易画像形成装置操作画面）を用意し、共有表示装置３００に表示する。
【００７０】
ステップＳ２４においてシステム２（外部装置）の操作要求であれば、ステップＳ２６で、共有表示装置３００の操作画面として、システム２で作成されたシステム２の操作画面（外部装置操作画面）を用意し、共有表示装置３００に表示する。
【００７１】
このようにして、異なるユーザーが遠隔表示装置２と共有表示装置３００からそれぞれ情報処理機器１０の操作を同時に行うことができる。しかも、ユーザー１により遠隔表示装置２に画像形成装置操作画面が表示されていれば、ユーザー２が共有表示装置３００により画像形成装置を利用したい場合は、利用されていないシステム２のリソースを用いて作成された簡易画像形成装置操作画面が共有表示装置２に表示されるから、画像形成装置１００による操作画面の作成負荷を軽減することができる。
【００７２】
図６は、遠隔表示装置２からの操作と共有表示装置３００からの操作が同時に行われる場合の、情報処理システムのさらに他の動作を説明するためのフローチャートである。
【００７３】
ステップＳ３１で遠隔表示装置２が利用されていない状態で、ステップＳ３２で、ユーザー１が共有表示装置３００にシステム１の操作画面である画像形成装置操作画面を表示し、ステップＳ３３で、プリントまたはコピーまたはスキャンを行うための設定値の入力中である場合において、ユーザー２により遠隔表示装置２から操作要求があると、情報処理機器１０のシステム制御部２００はステップＳ３４で、どちらのシステムの操作要求かを判断する。システム１（画素形成装置）の操作要求であれば、ステップＳ３５で、遠隔表示装置２の操作画面として簡易画像形成装置操作画面を表示させる。この場合、簡易画像形成装置操作画面はシステム１で作成されてもシステム２で作成されても良い。
【００７４】
ステップＳ３４において、システム２（外部装置）の操作要求であれば、ステップＳ３６で、遠隔表示装置２の操作画面として外部装置操作画面を表示させる。
【００７５】
この例では、共有表示装置３００を利用しているユーザーの操作権限が、遠隔表示装置２を利用する他のユーザーによって奪われないため、共有表示装置３００を利用しているユーザーの入力操作を途切れさせることがなく、共有表示装置３００の操作性を保持できる。
【００７６】
図７は、遠隔表示装置２からの操作と共有表示装置３００からの操作が同時に行われる場合の、情報処理システムのさらに他の動作を説明するためのフローチャートである。
【００７７】
ステップＳ４１で、ユーザー１が共有表示装置３００に画像形成装置操作画面を表示し、ステップＳ４２で、プリントまたはコピーまたはスキャンを行うための設定値の入力中である場合において、ユーザー２により遠隔表示装置２から操作要求があると、情報処理機器１０のシステム制御部２００はステップＳ４３で、どちらのシステムの操作要求かを判断する。システム１（画素形成装置）の操作要求であれば、ステップＳ４４で、遠隔表示装置２の操作画面として簡易画像形成装置操作画面を表示させる。
【００７８】
次いでステップＳ４６で、ユーザー２が遠隔表示装置２で行う画像形成装置１００への設定項目は、簡易画像形成装置操作画面で操作可能かどうかを判断し、設定可能であればステップＳ５１で、ユーザー２は簡易画像形成装置操作画面で引き続き操作を行う。設定不可能であればステップＳ４７に進み、ユーザー１が共有表示装置３００で利用している画像形成装置操作画面を利用しても良いかどうかを、ユーザー１に画面上で問い合わせる。利用不可能であればステップＳ５１で、ユーザー２は簡易画像形成装置操作画面で引き続き操作を行う。
【００７９】
利用可能であれば、ステップＳ４８で、遠隔表示装置２に画像形成装置操作画面を表示させて、ユーザー２にこの操作画面を操作させる。また、共有表示装置３００には簡易画像形成装置操作画面を表示し、ユーザー１にこの簡易操作画面を操作させる。この際に、ユーザー１が共有表示装置３００のの画像形成装置操作画面で行った設定値をＲＡＭ１０２ｃ等に記憶し、共有表示装置３００には設定値を引き継いだ簡易画像形成装置操作画面を表示する。
【００８０】
ステップＳ４９で、遠隔表示装置２を操作しているユーザー２が、画像形成装置操作画面での設定入力を完了すると、ステップＳ５０で、遠隔表示装置２の画面を簡易画像形成装置操作画面に戻す。ユーザー２はこの簡易画像形成装置操作画面を継続操作できる。一方、共有表示装置３００に表示されている簡易画像形成装置操作画面を、該簡易画像形成装置操作画面で設定した設定値を引き継いだ画像形成装置操作画面に戻す。ユーザー１はこの簡易画像形成装置操作画面を継続操作できる。
【００８１】
ステップＳ４３において、外部装置２００の操作要求であれば、ステップＳ４５で、遠隔表示装置２の操作画面として外部装置操作画面を表示させる。
【００８２】
図７に示した例では、遠隔表示装置２を利用しているユーザー２が、遠隔表示装置２に表示されている簡易画像形成装置操作画面で設定できない項目に対して、共有表示装置３００から操作している他のユーザー１から一時的に、全ての設定が可能な画像形成装置操作画面の権限を譲渡されることにより、設定できない項目をなくすことができる。
【００８３】
図８は、図７に示した動作例における共有表示装置３００と遠隔表示装置２のシーケンス図である。
【００８４】
ユーザー１が共有表示装置３００に画像形成装置操作画面を表示し（ステップＳ６１）、プリントまたはコピーまたはスキャンを行うための設定値の入力中である場合（ステップＳ６２）において、ユーザー２が画像形成装置１００を操作するため、遠隔表示装置２に簡易画像形成装置操作画面が表示される（ステップＳ７１）。
【００８５】
ユーザー２が遠隔表示装置２で行う画像形成装置１００への設定項目を、簡易画像形成装置操作画面で操作できない場合（ステップＳ７２）、ユーザー１に対して、共有表示装置３００で利用している画像形成装置操作画面をユーザー２が利用しても良いかどうかを問い合わせる（ステップＳ６３）。ユーザー１が利用許可を出すと（ステップＳ６４）、共有表示装置３００の表示が簡易画像形成装置操作画面に切り替わり（ステップＳ６５）、遠隔表示装置２の表示が画像形成装置操作画面に切り替わる（ステップＳ７３）。
【００８６】
ユーザー２が遠隔表示装置２の画像形成装置操作画面により設定入力を完了すると（ステップＳ７４）、共有表示装置３００の表示が画像形成装置操作画面に切り替わり（ステップＳ６６）、遠隔表示装置２の表示が簡易画像形成装置操作画面に切り替わる（ステップＳ７５）。
【００８７】
図９は、遠隔表示装置２からの操作と共有表示装置３００からの操作が同時に行われる場合の、情報処理システムのさらに他の動作を説明するためのフローチャートである。この動作において、ステップＳ４１〜ステップＳ４９、ステップＳ５０及びステップＳ５１の処理は図７のフローチャートに示した処理と同じであるので、同一のステップ番号を付し説明は省略する。
【００８８】
ステップＳ４９で、遠隔表示装置２を操作しているユーザー２が、画像形成装置操作画面での設定入力を完了すると、情報処理機器１０はステップＳ５２で、ユーザー１が共有表示装置３００に表示されている簡易画像形成装置操作画面を利用して設定を入力しているかどうかを判断し、設定を入力していなければ、ステップＳ５０で、遠隔表示装置２の画面を簡易画像形成装置操作画面に戻し、共有表示装置３００に表示されている簡易画像形成装置操作画面を、該簡易画像形成装置操作画面で設定した設定値を引き継いだ画像形成装置操作画面に戻す。
【００８９】
ステップＳ５２において、ユーザー１が共有表示装置３００に表示されている簡易画像形成装置操作画面を利用して設定を入力している場合は、ステップＳ５３で、ユーザー１が簡易画像形成装置操作画面の利用を完了するまで待機し、完了するとステップＳ５０に進み、共有表示装置３００及び遠隔表示装置２の画面を切り替える。
【００９０】
図９に示した例では、共有表示装置３００の表示画面が画像形成装置操作画面から簡易画像形成装置操作画面に切り替わった後、この簡易画像形成装置操作画面で設定値を入力中である場合は、強制的に簡易画像形成装置操作画面から画像形成装置操作画面へと切り替えられることが無いので、共有表示装置３００から操作を行っているユーザー１に対する操作性を確保できる。
【００９１】
図１０は、図９に示した動作例における共有表示装置３００と遠隔表示装置２のシーケンス図である。このシーケンス図のステップＳ６１〜Ｓ６６、ステップＳ７１〜Ｓ７５は図８に示したシーケンス図と同じであるので、同一のステップ番号を付し説明は省略する。
【００９２】
画共有表示装置３００の表示が簡易画像形成装置操作画面に切り替わり（ステップＳ６５）、遠隔表示装置２の表示が画像形成装置操作画面に切り替わったのち（ステップＳ７３）、ユーザー２が遠隔表示装置２の画像形成装置操作画面により設定入力を完了する（ステップＳ７４）。しかし、ユーザー１が簡易画像形成装置操作画面で設定を入力している場合は（ステップＳ６７）、ユーザー１が簡易画像形成装置操作画面による設定入力を完了するまで待ち（ステップＳ６８）、完了すると、共有表示装置３００の表示を画像形成装置操作画面に切り替え（ステップＳ６６）、遠隔表示装置２の表示を簡易画像形成装置操作画面に切り替える（ステップＳ７５）。
【００９３】
図１１は、遠隔表示装置２からの操作と共有表示装置３００からの操作が同時に行われる場合の、情報処理システムのさらに他の動作を説明するためのフローチャートである。この動作において、ステップＳ４１〜ステップＳ４８、ステップＳ５０及びステップＳ５１の処理は図７のフローチャートに示した処理と同じであるので、同一のステップ番号を付し説明は省略する。
【００９４】
ステップＳ４８で、遠隔表示装置２に画像形成装置操作画面を表示させて、ユーザー２にこの操作画面を操作させる。また、共有表示装置３００には簡易画像形成装置操作画面を表示し、ユーザー１にこの簡易操作画面を操作させる。この際に、ユーザー１が共有表示装置３００の画像形成装置操作画面で行った設定値をＲＡＭ１０２ｃ等に記憶し、共有表示装置３００には設定値を引き継いだ簡易画像形成装置操作画面を表示する。
【００９５】
次に、ステップＳ５４で、ユーザー１が共有表示装置３００上の簡易画像形成装置操作画面の操作を終了し、外部装置操作画面を表示させて外部装置２００に対する設定を入力中である場合、ステップＳ５５で、ユーザー２が遠隔表示装置２の画像形成装置操作画面での設定入力を完了すると、ステップＳ５６で、ユーザー１が共有表示装置３００に表示された外部装置操作画面を利用して設定を入力しているかどうかを調べる。設定を入力していなければ、ステップＳ５０で、遠隔表示装置２の画面を簡易画像形成装置操作画面に戻し、共有表示装置３００に、該簡易画像形成装置操作画面で設定した設定値を引き継いだ画像形成装置操作画面を表示する。
【００９６】
ステップＳ５６において、ユーザー１が設定を入力中の場合、ステップＳ５７で、ユーザー１が外部装置操作画面の利用を完了するまで待機し、完了するとステップＳ５０に進み、共有表示装置３００及び遠隔表示装置２の画面を切り替える。
【００９７】
図１１に示した例では、共有表示装置３００から操作を行っているユーザー１が、簡易画像形成装置操作画面から外部装置操作画面に切り替えたとしても、このユーザー１が外部装置操作画面で設定を入力中である場合は、強制的に外部装置操作画面から画像形成装置操作画面へと切り替えられることが無いので、共有表示装置３００から操作を行っているユーザーに対する操作性を確保できる。
【００９８】
図１２は、図１１に示した動作例における共有表示装置３００と遠隔表示装置２のシーケンス図である。このシーケンス図のステップＳ６１〜Ｓ６６、ステップＳ７１〜Ｓ７５は図８に示したシーケンス図と同じであるので、同一のステップ番号を付し説明は省略する。
【００９９】
共有表示装置３００の表示が簡易画像形成装置操作画面に切り替わり（ステップＳ６５）、遠隔表示装置２の表示が画像形成装置操作画面に切り替わったのち（ステップＳ７３）、ユーザー１が共有表示装置３００の簡易画像形成装置操作画面を終了し（ステップＳ６７）、外部装置操作画面を表示させて外部装置に対する設定を入力中であれば（ステップＳ６８）、ユーザー２が遠隔表示装置２の画像形成装置操作画面により設定入力を完了したとしても（ステップＳ７４）、ユーザー１の設定の入力完了を待って（ステップＳ６９）、共有表示装置３００の表示を画像形成装置操作画面に切り替え（ステップＳ６６）、遠隔表示装置２の表示を簡易画像形成装置操作画面に切り替える（ステップＳ７５）。
【０１００】
図１３は、遠隔表示装置２からの操作と共有表示装置３００からの操作が同時に行われる場合の、情報処理システムのさらに他の動作を説明するためのフローチャートである。
【０１０１】
ステップＳ８１で、ユーザー１が共有表示装置３００に画像形成装置操作画面を表示し、ステップＳ８２で、プリントまたはコピーまたはスキャンを行うための設定値の入力中である場合において、ユーザー２により遠隔表示装置２から操作要求があると、情報処理機器１０のシステム制御部２００はステップＳ８３で、どちらのシステムの操作要求かを判断する。システム１（画素形成装置）の操作要求であれば、ステップＳ８４で、遠隔表示装置２の操作画面として簡易画像形成装置操作画面を表示させる。
【０１０２】
次いでステップＳ８６で、ユーザー２が遠隔表示装置２で行う画像形成装置１００への設定項目は、簡易画像形成装置操作画面で操作可能かどうかを判断し、設定可能であればステップＳ９０で、ユーザー２は簡易画像形成装置操作画面で引き続き操作を行う。設定不可能であればステップＳ８７に進み、遠隔表示装置２に画像形成装置操作画面を強制的に表示させて、ユーザー２にこの操作画面を操作させる。また、共有表示装置３００には簡易画像形成装置操作画面を強制的に表示し、ユーザー１にこの簡易操作画面を操作させる。この際に、ユーザー１が共有表示装置３００の画像形成装置操作画面で行った設定値をＲＡＭ１０２ｃ等に記憶し、共有表示装置３００には設定値を引き継いだ簡易画像形成装置操作画面を表示する。
【０１０３】
ステップＳ８８で、遠隔表示装置２を操作しているユーザー２が、画像形成装置操作画面での設定入力を完了すると、ステップＳ８９で、遠隔表示装置２の画面を簡易画像形成装置操作画面に戻す。ユーザー２はこの簡易画像形成装置操作画面を継続操作できる。一方、共有表示装置３００に表示されている簡易画像形成装置操作画面を、該簡易画像形成装置操作画面で設定した設定値を引き継いだ画像形成装置操作画面に戻す。ユーザー１はこの簡易画像形成装置操作画面を継続操作できる。
【０１０４】
ステップＳ８３において、外部装置２００の操作要求であれば、ステップＳ８５で、遠隔表示装置２の操作画面として外部装置操作画面を表示させる。
【０１０５】
図１３に示した例では、遠隔表示装置２の表示手段２５に表示された簡易画像形成装置操作画面で、簡易画像形成装置操作画面では設定不可能な機能を設定する場合、遠隔表示装置２に画像形成装置操作画面を、共有表示装置３００には簡易画像形成装置操作画面を、それぞれ強制的に切り替え表示するから、遠隔表示装置３００のユーザー２は待ち時間なく画像形成装置１００の全ての操作を行うことができる。
【０１０６】
図１４は、図１３に示した動作例における共有表示装置３００と遠隔表示装置２のシーケンス図である。
【０１０７】
ユーザー１が共有表示装置３００に画像形成装置操作画面を表示し（ステップＳ１０１）、プリントまたはコピーまたはスキャンを行うための設定値の入力中である場合（ステップＳ１０２）において、ユーザー２が画像形成装置１００を操作するため、遠隔表示装置２に簡易画像形成装置操作画面が表示される（ステップＳ１１１）。
【０１０８】
ユーザー２が遠隔表示装置２で行う画像形成装置１００への設定項目を、簡易画像形成装置操作画面で操作できない場合（ステップＳ１１２）、共有表示装置３００の表示が簡易画像形成装置操作画面に強制的に切り替えられ（ステップＳ１０３）、遠隔表示装置２の表示が画像形成装置操作画面に強制的に切り替えられる（ステップＳ１１３）。
【０１０９】
ユーザー２が遠隔表示装置２の画像形成装置操作画面により設定入力を完了すると（ステップＳ１１４）、共有表示装置３００の表示が画像形成装置操作画面に切り替わり（ステップＳ１０４）、遠隔表示装置２の表示が簡易画像形成装置操作画面に切り替わる（ステップＳ１１５）。
【０１１０】
図１５は、遠隔表示装置２からの操作と共有表示装置３００からの操作が同時に行われる場合の、情報処理システムのさらに他の動作を説明するためのフローチャートである。
【０１１１】
ステップＳ１２１で、ユーザー１が遠隔表示装置２に画像形成装置操作画面を表示し、ステップＳ１２２で、プリントまたはコピーまたはスキャンを行うための設定値の入力中である場合において、ユーザー２により共有表示装置３００から操作要求があると、情報処理機器１０のシステム制御部２００はステップＳ１２３で、どちらのシステムの操作要求かを判断する。システム１（画素形成装置）の操作要求であれば、ステップＳ１２４で、共有表示装置３００に簡易画像形成装置操作画面）を表示する。
【０１１２】
ステップＳ１２３において、システム２（外部装置）の操作要求であれば、ステップＳ１２５で、共有表示装置３００に外部装置操作画面を表示する。
【０１１３】
このようにして、異なるユーザーが遠隔表示装置２と共有表示装置３００からそれぞれ情報処理機器１０の操作を同時に行うことができる。しかも、ユーザー１により遠隔表示装置２に画像形成装置操作画面が表示されていれば、ユーザー２が共有表示装置３００により画像形成装置を利用したい場合は、利用されていないシステム２のリソースを用いて作成された簡易画像形成装置操作画面が共有表示装置３００に表示されるから、画像形成装置１００による操作画面の作成負荷を軽減することができる。
【０１１４】
図１６は、遠隔表示装置２からの操作と共有表示装置３００からの操作が同時に行われる場合の、情報処理システムのさらに他の動作を説明するためのフローチャートである。
【０１１５】
ステップＳ１３１で、ユーザー１が遠隔表示装置２に画像形成装置操作画面を表示し、ステップＳ１３２で、プリントまたはコピーまたはスキャンを行うための設定値の入力中である場合において、ユーザー２により共有表示装置３００から操作要求があると、情報処理機器１０のシステム制御部２００はステップＳ４３で、どちらのシステムの操作要求かを判断する。システム１（画素形成装置）の操作要求であれば、ステップＳ１３４で、共有表示装置３００の操作画面として簡易画像形成装置操作画面を表示させる。
【０１１６】
次いでステップＳ１３６で、ユーザー２が共有表示装置３００で行う画像形成装置１００への設定項目は、簡易画像形成装置操作画面で操作可能かどうかを判断し、設定可能であればステップＳ１４１で、ユーザー２は簡易画像形成装置操作画面で引き続き操作を行う。設定不可能であればステップＳ１３７に進み、ユーザー１が遠隔表示装置２で利用している画像形成装置操作画面を利用しても良いかどうかを、ユーザー１に画面上で問い合わせる。利用不可能であればステップＳ１４１で、ユーザー２は簡易画像形成装置操作画面で引き続き操作を行う。
【０１１７】
利用可能であれば、ステップＳ１３８で、共有表示装置３００に画像形成装置操作画面を表示させて、ユーザー２にこの操作画面を操作させる。また、遠隔表示装置２には簡易画像形成装置操作画面を表示し、ユーザー１にこの簡易操作画面を操作させる。この際に、ユーザー１が簡易表示装置２の画像形成装置操作画面で行った設定値をＲＡＭ１０２ｃ等に記憶し、遠隔表示装置２には設定値を引き継いだ簡易画像形成装置操作画面を表示する。
【０１１８】
ステップＳ１３９で、共有表示装置３００を操作しているユーザー２が、画像形成装置操作画面での設定入力を完了すると、ステップＳ１４０で、共有表示装置３００の画面を簡易画像形成装置操作画面に戻す。ユーザー２はこの簡易画像形成装置操作画面を継続操作できる。一方、遠隔表示装置２に表示されている簡易画像形成装置操作画面を、該簡易画像形成装置操作画面で設定した設定値を引き継いだ画像形成装置操作画面に戻す。ユーザー１はこの簡易画像形成装置操作画面を継続操作できる。
【０１１９】
ステップＳ１３３において、外部装置２００の操作要求であれば、ステップＳ１３５で、共有表示装置２の操作画面として外部装置操作画面を表示させる。
【０１２０】
図１６に示した例では、共有表示装置３００を利用しているユーザー２が、共有表示装置３００に表示されている簡易画像形成装置操作画面で設定できない項目に対して、遠隔表示装置２から操作している他のユーザー１から一時的に、全ての設定が可能な画像形成装置操作画面の権限を譲渡されることにより、設定できない項目をなくすことができる。
【０１２１】
図１７は、図１６に示した動作例における共有表示装置３００と遠隔表示装置２のシーケンス図である。
【０１２２】
ユーザー１が遠隔表示装置２に画像形成装置操作画面を表示し（ステップＳ１６１）、プリントまたはコピーまたはスキャンを行うための設定値の入力中である場合（ステップＳ１６２）において、ユーザー２が画像形成装置１００を操作するため、共有表示装置３００に簡易画像形成装置操作画面が表示される（ステップＳ１５１）。
【０１２３】
ユーザー２が共有表示装置３００で行う画像形成装置１００への設定項目を、簡易画像形成装置操作画面で操作できない場合（ステップＳ１５２）、ユーザー１に対して、遠隔表示装置２で利用している画像形成装置操作画面をユーザー２が利用しても良いかどうかを問い合わせる（ステップＳ１５３）。ユーザー１が利用許可を出すと（ステップＳ１５４）、遠隔表示装置２の表示が簡易画像形成装置操作画面に切り替わり（ステップＳ１６３）、共有表示装置３００の表示が画像形成装置操作画面に切り替わる（ステップＳ１５５）。
【０１２４】
ユーザー２が共有表示装置３００の画像形成装置操作画面により設定入力を完了すると（ステップＳ１５６）、遠隔表示装置２の表示が画像形成装置操作画面に切り替わり（ステップＳ１６４）、共有表示装置３００の表示が簡易画像形成装置操作画面に切り替わる（ステップＳ１５７）。
【０１２５】
図１８は、遠隔表示装置２からの操作と共有表示装置３００からの操作が同時に行われる場合の、情報処理システムのさらに他の動作を説明するためのフローチャートである。この動作において、ステップＳ１３１〜ステップＳ１３９、ステップＳ１４０及びステップＳ１４１の処理は図１６のフローチャートに示した処理と同じであるので、同一のステップ番号を付し説明は省略する。
【０１２６】
ステップＳ１３９で、共有表示装置３００を操作しているユーザー２が、画像形成装置操作画面での設定入力を完了すると、情報処理機器１０はステップＳ１４２で、ユーザー１が遠隔表示装置２に表示されている簡易画像形成装置操作画面を利用して設定を入力しているかどうかを判断し、設定を入力していなければ、ステップＳ１４０で、共有表示装置３００の画面を簡易画像形成装置操作画面に戻し、遠隔表示装置２に表示されている簡易画像形成装置操作画面を、該簡易画像形成装置操作画面で設定した設定値を引き継いだ画像形成装置操作画面に戻す。
【０１２７】
ステップＳ１４２において、ユーザー１が遠隔表示装置２に表示されている簡易画像形成装置操作画面を利用して設定を入力している場合は、ステップＳ１４３で、ユーザー１が簡易画像形成装置操作画面の利用を完了するまで待機し、完了するとステップＳ１４０に進み、共有表示装置３００及び遠隔表示装置２の画面を切り替える。
【０１２８】
図１８に示した例では、遠隔表示装置２の表示画面が画像形成装置操作画面から簡易画像形成装置操作画面に切り替わった後、この簡易画像形成装置操作画面で設定値を入力中である場合は、強制的に簡易画像形成装置操作画面から画像形成装置操作画面へと切り替えられることが無いので、遠隔表示装置２から操作を行っているユーザー１に対する操作性を確保できる。
【０１２９】
図１９は、図１８に示した動作例における共有表示装置３００と遠隔表示装置２のシーケンス図である。このシーケンス図のステップＳ１５１〜Ｓ１５７、ステップＳ１６１〜Ｓ１６４は図１７に示したシーケンス図と同じであるので、同一のステップ番号を付し説明は省略する。
【０１３０】
遠隔表示装置２の表示が簡易画像形成装置操作画面に切り替わり（ステップＳ１６３）、共有表示装置３００の表示が画像形成装置操作画面に切り替わったのち（ステップＳ１５５）、ユーザー２が共有表示装置３００の画像形成装置操作画面により設定入力を完了する（ステップＳ１５６）。しかし、ユーザー１が簡易画像形成装置操作画面で設定を入力している場合は（ステップＳ１６５）、ユーザー１が簡易画像形成装置操作画面による設定入力を完了するまで待ち（ステップＳ１６６）、完了すると、遠隔表示装置２の表示を画像形成装置操作画面に切り替え（ステップＳ１６４）、共有表示装置３００の表示を簡易画像形成装置操作画面に切り替える（ステップＳ１５７）。
【０１３１】
図２０は、遠隔表示装置２からの操作と共有表示装置３００からの操作が同時に行われる場合の、情報処理システムのさらに他の動作を説明するためのフローチャートである。この動作において、ステップＳ１３１〜ステップＳ１３８、ステップＳ１４０及びステップＳ１４１の処理は図１６のフローチャートに示した処理と同じであるので、同一のステップ番号を付し説明は省略する。
【０１３２】
ステップＳ１３８で、共有表示装置３００に画像形成装置操作画面を表示させて、ユーザー２にこの操作画面を操作させる。また、遠隔表示装置２には簡易画像形成装置操作画面を表示し、ユーザー１にこの簡易操作画面を操作させる。この際に、ユーザー１が遠隔表示装置２の画像形成装置操作画面で行った設定値をＲＡＭ１０２ｃ等に記憶し、遠隔表示装置２には設定値を引き継いだ簡易画像形成装置操作画面を表示する。
【０１３３】
次に、ステップＳ１４４で、ユーザー１が遠隔表示装置２上の簡易画像形成装置操作画面の操作を終了し、外部装置操作画面を表示させて外部装置２００に対する設定を入力中である場合、ステップＳ１４５で、ユーザー２が共有表示装置３００の画像形成装置操作画面での設定入力を完了すると、ステップＳ１４６で、ユーザー１が遠隔表示装置２に表示された外部装置操作画面を利用して設定を入力しているかどうかを調べる。設定を入力していなければ、ステップＳ１４０で、共有表示装置２の画面を簡易画像形成装置操作画面に戻し、遠隔表示装置２に、該簡易画像形成装置操作画面で設定した設定値を引き継いだ画像形成装置操作画面を表示する。
【０１３４】
ステップＳ１４６において、ユーザー１が設定を入力中の場合、ステップＳ１４７で、ユーザー１が外部装置操作画面の利用を完了するまで待機し、完了するとステップＳ１４０に進み、共有表示装置３００及び遠隔表示装置２の画面を切り替える。
【０１３５】
図２０に示した例では、遠隔表示装置２から操作を行っているユーザー１が、簡易画像形成装置操作画面から外部装置操作画面に切り替えたとしても、このユーザー１が外部装置操作画面で設定を入力中である場合は、強制的に外部装置操作画面から画像形成装置操作画面へと切り替えられることが無いので、遠隔表示装置２から操作を行っているユーザーに対する操作性を確保できる。
【０１３６】
図２１は、図２０に示した動作例における共有表示装置３００と遠隔表示装置２のシーケンス図である。このシーケンス図のステップＳ１５１〜Ｓ１５７、ステップＳ１６１〜Ｓ１６４は図１７に示したシーケンス図と同じであるので、同一のステップ番号を付し説明は省略する。
【０１３７】
遠隔表示装置２の表示が簡易画像形成装置操作画面に切り替わり（ステップＳ１６３）、共有表示装置３００の表示が画像形成装置操作画面に切り替わったのち（ステップＳ１５５）、ユーザー１が遠隔表示装置２の簡易画像形成装置操作画面を終了し（ステップＳ１６７）、外部装置操作画面を表示させて外部装置に対する設定を入力中であれば（ステップＳ１６８）、ユーザー２が共有表示装置３００の画像形成装置操作画面により設定入力を完了したとしても（ステップＳ１５６）、ユーザー１の設定の入力完了を待って（ステップＳ１６９）、遠隔表示装置２の表示を画像形成装置操作画面に切り替え（ステップＳ１６４）、共有表示装置３００の表示を簡易画像形成装置操作画面に切り替える（ステップＳ１５７）。
【０１３８】
図２２は、遠隔表示装置２からの操作と共有表示装置３００からの操作が同時に行われる場合の、情報処理システムのさらに他の動作を説明するためのフローチャートである。
【０１３９】
ステップＳ１８１で、ユーザー１が遠隔表示装置２に画像形成装置操作画面を表示し、ステップＳ１８２で、プリントまたはコピーまたはスキャンを行うための設定値の入力中である場合において、ユーザー２により共有表示装置３００から操作要求があると、情報処理機器１０のシステム制御部２００はステップＳ１８３で、どちらのシステムの操作要求かを判断する。システム１（画素形成装置）の操作要求であれば、ステップＳ１８４で、共有表示装置３００の操作画面として簡易画像形成装置操作画面を表示させる。
【０１４０】
次いでステップＳ１８６で、ユーザー２が共有表示装置３００で行う画像形成装置１００への設定項目は、簡易画像形成装置操作画面で操作可能かどうかを判断し、設定可能であればステップＳ１９０で、ユーザー２は簡易画像形成装置操作画面で引き続き操作を行う。設定不可能であればステップＳ１８７に進み、共有表示装置３００に画像形成装置操作画面を強制的に表示させて、ユーザー２にこの操作画面を操作させる。また、遠隔表示装置２には簡易画像形成装置操作画面を強制的に表示し、ユーザー１にこの簡易操作画面を操作させる。この際に、ユーザー１が遠隔表示装置２の画像形成装置操作画面で行った設定値をＲＡＭ１０２ｃ等に記憶し、遠隔表示装置２には設定値を引き継いだ簡易画像形成装置操作画面を表示する。
【０１４１】
ステップＳ１８８で、共有表示装置３００を操作しているユーザー２が、画像形成装置操作画面での設定入力を完了すると、ステップＳ１８９で、共有表示装置３００の画面を簡易画像形成装置操作画面に戻す。ユーザー２はこの簡易画像形成装置操作画面を継続操作できる。一方、遠隔表示装置２に表示されている簡易画像形成装置操作画面を、該簡易画像形成装置操作画面で設定した設定値を引き継いだ画像形成装置操作画面に戻す。ユーザー１はこの簡易画像形成装置操作画面を継続操作できる。
【０１４２】
ステップＳ１８３において、外部装置２００の操作要求であれば、ステップＳ１８５で、共有表示装置３００の操作画面として外部装置操作画面を表示させる。
【０１４３】
図２２に示した例では、共有表示装置３００に表示された簡易画像形成装置操作画面で、簡易画像形成装置操作画面では設定不可能な機能を設定する場合、共有表示装置３００に画像形成装置操作画面を、遠隔表示装置２には簡易画像形成装置操作画面を、それぞれ強制的に切り替え表示するから、共有表示装置２のユーザー２は待ち時間なく画像形成装置１００の全ての操作を行うことができる。
【０１４４】
図２３は、図２２に示した動作例における共有表示装置３００と遠隔表示装置２のシーケンス図である。
【０１４５】
ユーザー１が遠隔表示装置２に画像形成装置操作画面を表示し（ステップＳ２１１）、プリントまたはコピーまたはスキャンを行うための設定値の入力中である場合（ステップＳ２１２）において、ユーザー２が画像形成装置１００を操作するため、共有表示装置３００に簡易画像形成装置操作画面が表示される（ステップＳ２０１）。
【０１４６】
ユーザー２が共有表示装置３００で行う画像形成装置１００への設定項目を、簡易画像形成装置操作画面で操作できない場合（ステップＳ２０２）、遠隔表示装置２の表示が簡易画像形成装置操作画面に強制的に切り替えられ（ステップＳ２１３）、共有表示装置３００の表示が画像形成装置操作画面に強制的に切り替えられる（ステップＳ２０３）。
【０１４７】
ユーザー２が共有表示装置３００の画像形成装置操作画面により設定入力を完了すると（ステップＳ２０４）、遠隔表示装置２の表示が画像形成装置操作画面に切り替わり（ステップＳ２１４）、共有表示装置３００の表示が簡易画像形成装置操作画面に切り替わる（ステップＳ２０５）。
【０１４８】
図２４は、遠隔表示装置２からの操作と共有表示装置３００からの操作が同時に行われる場合の、情報処理システムのさらに他の動作を説明するためのフローチャートである。
【０１４９】
ステップＳ２２１で、ユーザー１が共有表示装置３００に画像形成装置操作画面を表示し、ステップＳ２２２で、プリントまたはコピーまたはスキャンを行うための設定値の入力中であり、ステップＳ２２３で、ユーザー２が遠隔表示装置２に外部装置操作画面を表示し、ステップＳ２２４でサーバ２００の詳細設定を入力中である場合において、ステップＳ２２５で、ユーザー２がサーバの詳細設定の入力を一時中断する。ステップＳ２２６では、中断後、ユーザー２は遠隔表示装置２でシステム１（画像形成装置）かシステム２（サーバ）のどちらを操作するかを判断し、画像形成装置１００であればステップＳ２２７で、遠隔表示装置２に、簡易画像形成装置操作画面を用意して表示させる。この際、遠隔表示装置２の外部装置操作画面により設定されたそれまでの設定値はＲＡＭ２０２ｃ等に記憶される。ステップＳ２２８で、簡易画像形成装置操作画面での操作を完了すると、ステップＳ２２９で、遠隔表示装置２の画面を、ＲＡＭ２０２ｃ等に記憶した設定値を反映した外部装置操作画面に戻す。
【０１５０】
ステップＳ２２６で、ユーザー２が遠隔表示装置２で操作するシステムが外部装置（サーバ）であれば、ステップＳ２３０で、遠隔表示装置２における外部装置操作画面の表示を維持し、ユーザー２はこの外部装置操作画面で引き続いて操作を行うことができる。
【０１５１】
図２４に示した例では、遠隔表示装置２のユーザー２は、外部装置操作画面により行われたサーバ２００の設定値がＲＡＭ２０２ｃ等に一時保有された状態で、画像形成装置１００の操作に移行することができる。
【０１５２】
図２５は、遠隔表示装置２からの操作と共有表示装置３００からの操作が同時に行われる場合の、情報処理システムのさらに他の動作を説明するためのフローチャートである。
【０１５３】
ステップＳ２４１で、ユーザー１が遠隔表示装置２に画像形成装置操作画面を表示し、ステップＳ２４２で、プリントまたはコピーまたはスキャンを行うための設定値の入力中であり、ステップＳ２４３で、ユーザー２が共有表示装置３００に外部装置操作画面を表示し、ステップＳ２４４でサーバ２００の詳細設定を入力中である場合において、ステップＳ２４５で、ユーザー２がサーバの詳細設定の入力を一時中断する。ステップＳ２４６では、中断後、ユーザー２は共有表示装置３００でシステム１（画像形成装置）かシステム２（サーバ）のどちらを操作するかを判断し、画像形成装置１００であればステップＳ２４７で、共有表示装置３００に、簡易画像形成装置操作画面を用意して表示させる。この際、共有表示装置３００の外部装置操作画面により設定されたそれまでの設定値はＲＡＭ２０２ｃ等に記憶される。ステップＳ２４８で、簡易画像形成装置操作画面での操作を完了すると、ステップＳ２４９で、共有表示装置３００の画面を、ＲＡＭ２０２ｃ等に記憶した設定値を反映した外部装置操作画面に戻す。
【０１５４】
ステップＳ２４６で、ユーザー２が共有表示装置３００で操作するシステムが外部装置（サーバ）であれば、ステップＳ２５０で、共有表示装置３００における外部装置操作画面の表示を維持し、ユーザー２はこの外部装置操作画面で引き続いて操作を行うことができる。
【０１５５】
図２５に示した例では、共有表示装置３００のユーザー２は、外部装置操作画面により行われたサーバ２００の設定値がＲＡＭ２０２ｃ等に一時保有された状態で、画像形成装置１００の操作に移行することができる。
【０１５６】
図２６は、遠隔表示装置２からの操作と共有表示装置３００からの操作が同時に行われる場合の、情報処理システムのさらに他の動作を説明するためのフローチャートである。
【０１５７】
ステップＳ２６１で、ユーザー１が共有表示装置３００に画像形成装置操作画面を表示し、ステップＳ２６２で、プリントまたはコピーまたはスキャンを行うための設定値の入力中であれば、ステップＳ２６３で、遠隔表示装置２に、遠隔表示装置２からは、現在、画像形成装置１００の全ては操作できないことを示すメッセージを表示する。
【０１５８】
ステップＳ２６４で、ユーザー２が遠隔表示装置２に外部装置操作画面を表示し、ステップＳ２６５でサーバ２００の詳細設定を入力中であると、ステップＳ２６６で、共有表示装置３００に共有表示装置３００からは、現在、サーバ２００の全ては操作できないことを示すメッセージを表示する。
【０１５９】
ステップＳ２６７では、ユーザー１が共有表示装置３００からの画像形成装置１００の操作を完了したかどうかを調べ、完了していれば（ステップＳ２６７でＹＥＳ）、ステップＳ２６８で、遠隔表示装置２に、遠隔表示装置２からは、現在、画像形成装置１００の全ての操作が可能であることを示すメッセージを表示したのち、ステップＳ２６９に進む。ステップＳ２６７で、ユーザー１が画像形成装置１００の操作を完了していない場合は（ステップＳ２６７でＮＯ）、そのままステップＳ２６９に進む。
【０１６０】
ステップＳ２６９では、ユーザー２が遠隔表示装置２からの外部装置２００の操作を完了したかどうかを調べ、完了していれば（ステップＳ２６９でＹＥＳ）、ステップＳ２７０で、共有表示装置３００に、共有表示装置３００からは、現在、外部装置２００の全ての操作が可能であることを示すメッセージを表示したのち、処理を終了する。ステップＳ２６９で、ユーザー２が外部装置２００の操作を完了していない場合は（ステップＳ２６９でＮＯ）、何もせず処理を終了する。
【０１６１】
図２６に示した例では、共有表示装置３００で画像形成装置１００が操作され、遠隔表示装置２でサーバ２００が操作されているとき、全ては操作できないことを示すメッセージが共有表示装置３００と遠隔表示装置２にそれぞれ表示されるから、他方のユーザーが割り込んで画像形成装置１００やサーバ２００を操作することを防止できる。
【符号の説明】
【０１６２】
２      遠隔表示装置
１０    情報処理機器
２０    切替え制御部
３０    セレクタ
１００  画像形成装置
１０２  システム制御部
１０３  描画制御部
１０４  表示データ
１０５  表示メモリ
２００  サーバ（外部装置）
２０２  システム制御部
２０３  描画制御部
２０４  表示データ
２０５  表示メモリ
３００  共有表示装置
【図１】
2018166238.tif 000003
【図２】
2018166238.tif 000004
【図３】
2018166238.tif 000005
【図４】
2018166238.tif 000006
【図５】
2018166238.tif 000007
【図６】
2018166238.tif 000008
【図７】
2018166238.tif 000009
【図８】
2018166238.tif 000010
【図９】
2018166238.tif 000011
【図１０】
2018166238.tif 000012
【図１１】
2018166238.tif 000013
【図１２】
2018166238.tif 000014
【図１３】
2018166238.tif 000015
【図１４】
2018166238.tif 000016
【図１５】
2018166238.tif 000017
【図１６】
2018166238.tif 000018
【図１７】
2018166238.tif 000019
【図１８】
2018166238.tif 000020
【図１９】
2018166238.tif 000021
【図２０】
2018166238.tif 000022
【図２１】
2018166238.tif 000023
【図２２】
2018166238.tif 000024
【図２３】
2018166238.tif 000025
【図２４】
2018166238.tif 000026
【図２５】
2018166238.tif 000027
【図２６】
2018166238.tif 000028